(57)【要約】      （修正有）【課題】携帯型の送風ファンにより屋外の作業、ベビーカー、車イスでの外出、スポーツ観戦時等の防暑対策に多目的に簡便に利用する。【解決手段】小型電動ファンで、吸気・排気を行い、自然の空気（風）を吹きつけ、扇風機、温風器と同様の涼感、温感が得られるものとした。【選択図】図１
0003143742.tif 000002
【実用新案登録請求の範囲】
【請求項１】
空気の吸、排出口を備えたバッテリー稼働の小型ファンを特徴とする携帯型小型送風器。
【考案の詳細な説明】
【技術分野】
【０００１】本考案は、防暑、防寒対策のための携帯小型送風機に関するものである
【技術背景】
【０００２】これまでの防暑、防寒対策として、クーラー、扇風機など方法があるが、これらは室内車内における対策であり、以外の場所では、うちわ、扇子の古来の方法による方法しかない現状である。
【０００３】本考案は、自然の空気を利用、ファンで強制的に取り入れた空気（外気）を人体に直接吹き当てる事により涼しさをまた、ヒーターを内蔵することで暖かさが得られる事とし、これを解決するものである
【０００４】小型ファンを乾電池または、バッテリー（充電式を含む）で稼働。これを吸・排気用として使用することとした。風量も本考案の稼働時間も本考案目的に適しており、これを使用することとした
【考案の開示】
【考案が解決しようとする課題】
【０００５】現状の防暑対策としては、屋内・車内においては冷房設備によるもの
方法があるが屋外においては、古来のうちわ、扇子等をはじめ衣料素材による対処の方法しかないのが現状である。
【課題を解決するための手段】
【０００６】  本考案は、小型ファンで自然の空気を必要な部分に吹き付けることができることにしたものである。
【考案の効果】
【０００７】本考案の方法では携帯型の送風ファンより屋外の作業、ベビーカー、車イスでの外出  スポーツ観戦時等の防暑対策に多目的に簡便に利用できる。
【実用例１】
【０００８】図１は、フレキシブルワイヤーの両端に取り付けた物であり、ファンは取り外し可能にした。またファンの個数を増やすこともできることにした。
【０００９】図２は、首にかけた際の使用図である。
【００１０】図３は、ベビーカーに取り付けた使用図である。
【００１１】図４は、イスに取り付けた使用図である
【００１２】図５は、ファンの内側にヒーターを内蔵し、冬は温風を送る使用図である
【００１３】図６は、電源供給をアームからではなく、それぞれのファンが単体で動き、アームからはずして、ヘッドフォン型アームなど、いろいろな型のアームへの付け替えも可能にした使用図である。
【００１４】図７は、取り外し可能にすることにより、複数のファンを取り付けられるようにした  使用図である。
【００１５】図８は、バッテリーを内蔵させ、より両手を使えるフリーハンド型にした使用図である。
【００１６】図９は、ファン又は、アームにソーラーパネルに取り付けＥＣＯｍｏｄｅに切り替えられる  ようにした使用図である
【００１７】図１０は、ワイヤレスのリモコンでファンの回転数、風量、送風、温風、ＥＣＯｍｏｄｅに切り替えられるようにした使用図である。
【００１８】図１１は、夏に川、海のレジャー、雨の日に傘に取り付けた事を、考慮して完全防水、生活防水にした使用図である。
【００１９】図１２は、充電方法としてコンセントからだけでなく、ＵＳＢボート、車のシガーライターからも充電できるようにした使用図である。
【００２０】図１３は、アーム部分外側に蛍光塗料または、ライトなどを取り付け、夜の屋外で使用の際の安全性も考慮した使用図である
【００２１】  図１４はファン自体に香料付きの物を使い、身体への送風で香水と近い効果を持ち、またアーム部分に香りのカートリッジを左右に取り付けられるようにし、ファンで拡散することによりし、左右で違う香りのカートリッジを取り付けられる用にした使用図である。
【００２２】図１５は、ファンの外周りにダイアル型の送風口調節つまみを付け、送風口を拡げたり、狭めたりする事により同じ風量でも風の強弱をつけられるようにした使用図である。
【００２３】図１６は、ファンが単体でも動くことにより、ファンに手首に付けられる
ストラップを付けペットの散歩の時など、気軽に持ち出せ、キーフックでバックやズボンのベルトに付けて持ち運べるようにした使用図である
【産業上の利用可能性】
【００２４】ファンの回転により屋外では、簡便に涼、温感効果が得られ、併せて室内利用おいても冷房暖房の利用も軽減されることから、現状の課題である地球環境対策の一助にもなるものである【００２５】アームとファンとは、接着剤、加熱圧着等で簡単に剥がれないよう取り付けること。またバッテリーは、ベルトに取り付け方法や、ポケットに収納する方法とする。ファンとバッテリーを結ぶ電線は、簡単に離れないよう結線する
【図１】
0003143742.tif 000003
【図２】
0003143742.tif 000004
【図３】
0003143742.tif 000005
【図４】
0003143742.tif 000006
【図５】
0003143742.tif 000007
【図６】
0003143742.tif 000008
【図７】
0003143742.tif 000009
【図８】
0003143742.tif 000010
【図９】
0003143742.tif 000011
【図１０】
0003143742.tif 000012
【図１１】
0003143742.tif 000013
【図１２】
0003143742.tif 000014
【図１３】
0003143742.tif 000015
【図１４】
0003143742.tif 000016
【図１５】
0003143742.tif 000017
【図１６】
0003143742.tif 000018
【手続補正書】
【提出日】平成20年5月24日(2008.5.24)
【手続補正１】
【補正対象書類名】明細書
【補正対象項目名】全文
【補正方法】変更
【補正の内容】
【考案の詳細な説明】
【技術分野】
【０００１】本考案は、防暑、防寒対策のための携帯小型送風機に関するものである
【技術背景】
【０００２】これまでの防暑、防寒対策として、クーラー、扇風機など方法があるが、これらは室内車内における対策であり、以外の場所では、うちわ、扇子の古来の方法による方法しかない現状である。
【０００３】本考案は、自然の空気を利用、ファンで強制的に取り入れた空気（外気）を人体に直接吹き当てる事により涼しさをまた、ヒーターを内蔵することで暖かさが得られる事とし、これを解決するものである
【０００４】小型ファンを乾電池または、バッテリー（充電式を含む）で稼働。これを吸・排気用として使用することとした。風量も本考案の稼働時間も本考案目的に適しており、これを使用することとした
【考案の開示】
【考案が解決しようとする課題】
【０００５】現状の防暑対策としては、屋内・車内においては冷房設備によるもの
方法があるが屋外においては、古来のうちわ、扇子等をはじめ衣料素材による対処の方法しかないのが現状である。
【課題を解決するための手段】
【０００６】  本考案は、小型ファンで自然の空気を必要な部分に吹き付けることができることにしたものである。
【考案の効果】
【０００７】本考案の方法では携帯型の送風ファンより屋外の作業、ベビーカー、車イスでの外出  スポーツ観戦時等の防暑対策に多目的に簡便に利用できる。
【実用例１】
【０００８】図１は、フレキシブルワイヤーの両端に取り付けた物であり、ファンは取り外し可能にした。またファンの個数を増やすこともできることにした。
【０００９】図２は、首にかけた際の使用図である。
【００１０】図３は、ベビーカーに取り付けた使用図である。
【００１１】図４は、イスに取り付けた使用図である
【００１２】図５は、ファンの内側にヒーターを内蔵し、冬は温風を送る使用図である
【００１３】図６は、電源供給をアームからではなく、それぞれのファンが単体で動き、アームからはずして、ヘッドフォン型アームなど、いろいろな型のアームへの付け替えも可能にした使用図である。
【００１４】図７は、取り外し可能にすることにより、複数のファンを取り付けられるようにした  使用図である。
【００１５】図８は、バッテリーを内蔵させ、より両手を使えるフリーハンド型にした使用図である。
【００１６】図９は、ファン又は、アームにソーラーパネルに取り付けＥＣＯｍｏｄｅに切り替えられる  ようにした使用図である
【００１７】図１０は、ワイヤレスのリモコンでファンの回転数、風量、送風、温風、ＥＣＯｍｏｄｅに切り替えられるようにした使用図である。
【００１８】図１１は、夏に川、海のレジャー、雨の日に傘に取り付けた事を、考慮して完全防水、生活防水にした使用図である。
【００１９】図１２は、充電方法としてコンセントからだけでなく、ＵＳＢボート、車のシガーライターからも充電できるようにした使用図である。
【００２０】図１３は、アーム部分外側に蛍光塗料または、ライトなどを取り付け、夜の屋外で使用の際の安全性も考慮した使用図である
【００２１】  図１４はファン自体に香料付きの物を使い、身体への送風で香水と近い効果を持ち、またアーム部分に香りのカートリッジを左右に取り付けられるようにし、ファンで拡散することによりし、左右で違う香りのカートリッジを取り付けられる用にした使用図である。
【００２２】図１５は、ファンの外周りにダイアル型の送風口調節つまみを付け、送風口を拡げたり、狭めたりする事により同じ風量でも風の強弱をつけられるようにした使用図である。
【００２３】図１６は、ファンが単体でも動くことにより、ファンに手首に付けられるストラップを付けペットの散歩の時など、気軽に持ち出せ、キーフックでバックやズボンのベルトに付けて持ち運べるようにした使用図である
【産業上の利用可能性】
【００２４】ファンの回転により屋外では、簡便に涼、温感効果が得られ、併せて室内利用おいても冷房暖房の利用も軽減されることから、現状の課題である地球環境対策の一助にもなるものである【００２５】アームとファンとは、接着剤、加熱圧着等で簡単に剥がれないよう取り付けること。またバッテリーは、ベルトに取り付け方法や、ポケットに収納する方法とする。ファンとバッテリーを結ぶ電線は、簡単に離れないよう結線する
【図面の簡単な説明】
【００２６】
【図１】フレキシブルワイヤーの両端に取り付けた物であり、ファンは取り外し可能にした。またファンの個数を増やすこともできることにした。
【図２】首にかけた際の使用図である。
【図３】ベビーカーに取り付けた使用図である。
【図４】イスに取り付けた使用図である
【図５】ファンの内側にヒーターを内蔵し、冬は温風を送る使用図である
【図６】電源供給をアームからではなく、それぞれのファンが単体で動き、アームからはずして、ヘッドフォン型アームなど、いろいろな型のアームへの付け替えも可能にした使用図である。
【図７】取り外し可能にすることにより、複数のファンを取り付けられるようにした  使用図である。
【図８】バッテリーを内蔵させ、より両手を使えるフリーハンド型にした使用図である。
【図９】ファン又は、アームにソーラーパネルに取り付けＥＣＯｍｏｄｅに切り替えられる  ようにした使用図である
【図１０】ワイヤレスのリモコンでファンの回転数、風量、送風、温風、ＥＣＯｍｏｄｅに切り替えられるようにした使用図である。
【図１１】夏に川、海のレジャー、雨の日に傘に取り付けた事を、考慮して完全防水、生活防水にした使用図である。
【図１２】充電方法としてコンセントからだけでなく、ＵＳＢボート、車のシガーライターからも充電できるようにした使用図である。
【図１３】アーム部分外側に蛍光塗料または、ライトなどを取り付け、夜の屋外で使用の際の安全性も考慮した使用図である
【図１４】ファン自体に香料付きの物を使い、身体への送風で香水と近い効果を持ち、またアーム部分に香りのカートリッジを左右に取り付けられるようにし、ファンで拡散することによりし、左右で違う香りのカートリッジを取り付けられる用にした使用図である。
【図１５】ファンの外周りにダイアル型の送風口調節つまみを付け、送風口を拡げたり、狭めたりする事により同じ風量でも風の強弱をつけられるようにした使用図である。
【図１６】ファンが単体でも動くことにより、ファンに手首に付けられるストラップを付けペットの散歩の時など、気軽に持ち出せ、キーフックでバックやズボンのベルトに付けて持ち運べるようにした使用図である